(57)【要約】【課題】デモモードで動作している映像表示装置の調整値が変更された場合であっても、それを自動的に検知してデモモードに戻す。【解決手段】通常動作中に（Ｓ１）特定のカード媒体が挿入されたかどうかを判別した場合（Ｓ２）、タイマーをセットする（Ｓ３）。そしてユーザ操作があれば（Ｓ４）、タイマーを更新する（Ｓ９）。そしてタイマーのカウントによって所定時間（ｔ）が経過した場合（Ｓ５）、再度カード媒体が挿入されているか判別し（Ｓ６）、挿入されていればさらに音声／映像設定がデモモードとは異なる値に変更されているかどうかを判別する（Ｓ７）。デモモードとは異なる値に設定されている場合は、音声／映像設定をデモモードの設定に変更する（Ｓ８）。また音声／映像設定がデモモードに一致している場合には、通常動作によりデモモードを継続する（Ｓ１）。【選択図】図２
2008042868.tif 000002
【特許請求の範囲】
【請求項１】
表示映像及び／または音質をデモンストレーション用に最適化したデモモードを持つ映像表示装置において、特定のカード媒体を識別するカード識別手段と、該カード識別手段が特定のカード媒体を識別したときにタイマーをセットするタイマー設定手段とを有し、該セットしたタイマーのカウントが所定時間経過したときに、前記デモモードで音声及び／または映像を出力することを特徴とする映像表示装置。
【請求項２】
請求項１に記載の映像表示時装置において、前記カード識別手段が前記特定のカード媒体を識別しているときに、予め定めた特定のコードが入力した場合、前記タイマーのカウントに関わりなく、前記デモモードで音声及び／または映像を出力することを特徴とする映像表示装置。
【請求項３】
表示映像及び／または音質をデモンストレーション用に最適化したデモモードを持つ映像表示装置において、予め定めた特定のコードが入力した場合、前記デモモードで音声及び／または映像を出力することを特徴とする映像表示装置。
【請求項４】
請求項３に記載の映像表示装置において、前記特定のコード入力に応じたデモモードによる音声及び／または映像の出力を設定したときにタイマーをセットするタイマー設定手段を有し、該セットしたタイマーのカウントが所定時間経過したときに、前記音声及び／または映像の設定が変更されていれば、前記デモモードによって音声及び／または映像を出力するように設定を変更することを特徴とする映像表示装置。
【請求項５】
請求項１、２、４のいずれか１に記載の映像表示装置において、前記タイマー設定手段は、前記タイマーをセットした後前記所定時間が経過する前にユーザ操作が行われた場合、前記タイマーをリセットすることを特徴とする映像表示装置。
【請求項６】
請求項１に記載の映像表示装置において、該映像表示装置は、周囲の明るさを検出するための明るさ検出手段を有し、
前記タイマー設定手段は、前記タイマーをセットした後、前記所定時間が経過する前にユーザ操作が行われた場合、または前記所定時間が経過する前に前記明るさ検出手段により検出した周囲の明るさが所定値以下になった場合、前記タイマーをリセットすることを特徴とする映像表示装置。
【請求項７】
請求項１に記載の映像表示装置において、該映像表示装置は、周囲の明るさを検出するための明るさ検出手段を有し、
前記タイマー設定手段は、前記タイマーをセットした後、前記所定時間が経過する前に特定のコードを入力するユーザ操作が行われた場合、タイマーセットを終了して前記デモモードで音声及び／または映像を出力しないようにし、
前記タイマーをセットした後、前記所定時間が経過する前に前記特定のコード入力以外の操作が行われ、または前記所定の時間が経過する前に前記明るさ検出手段により検出した周囲の明るさが所定値以下になった場合、前記タイマーをリセットすることを特徴とする映像表示装置。
【請求項８】
請求項１に記載の映像表示装置において、該映像表示装置は、前記タイマーのカウントが所定時間経過した後、該映像表示装置に用意されている特定のメニューにおける特定項目の設定値が、予め定めた特定の値に一致している場合、前記デモモードで音声及び／または映像を出力することを特徴とする映像表示装置。
【請求項９】
請求項１に記載の映像表示装置において、該映像表示装置は、前記音声及び／または映像の出力条件が異なる複数の前記デモモードを有し、該複数のデモモードのそれぞれに対して特定のコードが関連付けされ、
前記タイマーをセットした後、前記所定時間が経過する前に前記特定のコードを入力するユーザ操作が行われ、前記所定時間が経過した場合、前記入力された特定のコードに関連付けられているデモモードで音声及び／または映像を出力することを特徴とする映像表示装置。
【請求項１０】
請求項９に記載の映像表示装置において、前記タイマー設定手段は、前記タイマーセットした後、前記所定時間が経過する前に前記特定のコード入力以外のユーザ操作が行われた場合、または前記所定時間が経過する前に前記明るさ検出手段により検出した周囲の明るさが所定値以下になった場合、前記タイマーをリセットすることを特徴とする映像表示装置。
【請求項１１】
請求項１に記載の映像表示装置において、該映像表示装置は、前記音声及び／または映像の出力条件が異なる複数の前記デモモードを有し、該複数のデモモードのそれぞれに対して、前記映像表示装置に用意されている特定のメニューにおける特定項目の設定値が関連付けされ、
前記タイマーのカウントが所定時間経過した後、該映像表示装置に用意されている特定のメニューにおける特定項目の設定値が、前記複数のデモモードのいずれかに関連付けた設定値に一致している場合、該一致したデモモードで音声及び／または映像を出力することを特徴とする映像表示装置。
【請求項１２】
請求項１ないし１１のいずれか１に記載の映像表示装置において、前記デモモードで音声及び／または映像を出力する際、現在の音声及び／または映像出力が前記デモモードに相当するかどうかを判別し、該デモモードに相当しない場合は、前記音声及び／または映像出力の条件を変更し、該デモモードに相当する場合には、現在の条件を維持することを特徴とする映像表示装置。
【請求項１３】
請求項１２に記載の映像表示装置において、該映像表示装置に予め設定されている複数の出力モードのうち、現在の出力モードが前記デモモードに一致しているかどうか判定することにより、前記現在の音声及び／または映像出力が前記デモモードに相当するかどうかを判別することを特徴とする映像表示装置。
【請求項１４】
請求項１２に記載の映像表示装置において、該映像表示装置に予め設定されている音声及び／または映像の複数の条件項目について、現在の設定値と前記デモモードに相当する設定値とをそれぞれ比較することにより、前記現在の音声及び／または映像出力が前記デモモードに相当するかどうかを判別することを特徴とする映像表示装置。
【請求項１５】
請求項１または２に記載の映像表示装置において、前記タイマー設定手段は、前記カード識別手段が特定のカードを識別していれば、タイマーを繰り返しセットすることを特徴とする映像表示装置。
【請求項１６】
請求項１〜２、４〜１１のいずれか１に記載の映像表示装置において、該映像表示装置の電源を入れたときに、前記カード識別手段により前記特定のカードが識別された場合、前記デモモードで音声及び／または映像を出力することを特徴とする映像表示装置。
【請求項１７】
請求項１または２に記載の映像表示装置において、前記特定のカード媒体は、店頭専用のＢ−ＣＡＳカードであることを特徴とする映像表示装置。
【発明の詳細な説明】
【技術分野】
【０００１】
本発明は、映像表示装置、より詳細には、デモモードによって最良の画質・明るさで動作させることができる映像表示装置に関する。
【背景技術】
【０００２】
液晶テレビ等の映像表示装置においては、例えば販売店の店頭において、その装置の特徴をピーアールするためにデモモード（店頭モードとも呼ばれる）が用いられる。このようなデモモードは、音声及び映像、または音声と映像のいずれか（以下音声／映像とする）を特定の調整状態にするもので、例えば店頭において最良の状態でデモンストレーションを行うために、明るく色鮮やかな映像となるように調整が行われる。このようなデモモードは、デモンストレーション用の専用モードを持つ場合もあるが、通常、映像表示装置に用意されたダイナミックモードなどと呼ばれるくっきりと色鮮やかな映像モードによって実行される。
【０００３】
上記のような店頭におけるモード変更を行う機器に関して、例えば特許文献１には、特定の店頭デモカードを挿入した状態で、店頭で空運転を行うためのデモモードに移行する電子レンジが開示されている。
また特許文献２には、デモモードへ一旦移行すると電源を切り、その後電源を投入した場合には自動的にデモモードに移行する調理器が開示されている。
【０００４】
また特許文献３には、従来の映像表示装置よりも詳細な映像調整機能を与えると共に、この機能を用いない場合には、ユーザの選択によって簡便な操作を行うことができるようにした映像表示装置が開示されている。
【特許文献１】特開昭６１−２１７６３０号公報
【特許文献２】特開平７−１９４８８号公報
【特許文献３】特開２００５−１０９６１１号公報
【発明の開示】
【発明が解決しようとする課題】
【０００５】
例えば、店頭で映像表示装置を展示し、上記のようなデモモードで動作させているときに、顧客がその映像表示装置を操作して、映像調整値などを変更する場合がある。このような場合、店頭展示品の映像や音声が、メーカや販売店が意図しない状態のまま放置されることがあった。
【０００６】
特許文献１では、装置にデモカードを挿入した状態では、常に装置はデモモードで動作するため、顧客等が調整することはできない。また特許文献２では、特殊操作を行わない限りデモモードは解除されないため、顧客が調整等することはできない。
従って、これら特許文献には、上述のような店頭において調整値が変更された場合の対処については何ら開示されていない。
また特許文献３では、映像調整値を巡回的に変更させることは可能であったが、変更されたデモモードを自動的に復帰させることはできない。
【０００７】
本発明は、上述のごとき実情に鑑みてなされたもので、デモモードで動作している映像表示装置の調整値が変更された場合であっても、それを自動的に検知して所定条件下でデモモードに戻すことにより、意図しないモードのまま放置されることを防止できるようにした映像表示装置を提供することを目的とする。
【課題を解決するための手段】
【０００８】
第１の技術手段は、表示映像と音質とをデモンストレーション用に最適化したデモモードを持つ映像表示装置において、特定のカード媒体を識別するカード識別手段と、カード識別手段が特定のカード媒体を識別したときにタイマーをセットするタイマー設定手段とを有し、セットしたタイマーのカウントが所定時間経過したときに、デモモードで音声／映像を出力することを特徴としたものである。
【０００９】
第２の技術手段は、第１の技術手段において、カード識別手段が前記特定のカード媒体を識別しているときに、予め定めた特定のコードが入力した場合、タイマーのカウントに関わりなく、デモモードで音声／映像を出力することを特徴としたものである。
【００１０】
第３の技術手段は、表示映像／音質をデモンストレーション用に最適化したデモモードを持つ映像表示装置において、予め定めた特定のコードが入力した場合、デモモードで音声／映像を出力することを特徴としたものである。
【００１１】
第４の技術手段は、第３の技術手段において、特定のコード入力に応じたデモモードによる音声／映像の出力を設定したときにタイマーをセットするタイマー設定手段を有し、セットしたタイマーのカウントが所定時間経過したときに、音声／映像の設定が変更されていれば、デモモードによって音声／映像を出力するように設定を変更することを特徴としたものである。
【００１２】
第５の技術手段は、第１、第２、第４のいずれか１の技術手段において、タイマー設定手段が、タイマーをセットした後所定時間が経過する前に音声／映像の条件が変更された場合、タイマーをリセットすることを特徴としたものである。
【００１３】
第６の技術手段は、第１の技術手段において、映像表示装置が、周囲の明るさを検出するための明るさ検出手段を有し、タイマー設定手段は、タイマーをセットした後、所定時間が経過する前にユーザ操作が行われた場合、または所定時間が経過する前に明るさ検出手段により検出した周囲の明るさが所定値以下になった場合、タイマーをリセットすることを特徴としたものである。
【００１４】
第７の技術手段は、第１の技術手段において、映像表示装置が、周囲の明るさを検出するための明るさ検出手段を有し、タイマー設定手段は、タイマーをセットした後、所定時間が経過する前に特定のコードを入力するユーザ操作が行われた場合、タイマーセットを終了してデモモードで音声及び／または映像を出力しないようにし、タイマーをセットした後、所定時間が経過する前に特定のコード入力以外の操作が行われ、または所定の時間が経過する前に明るさ検出手段により検出した周囲の明るさが所定値以下になった場合、タイマーをリセットすることを特徴としたものである。
【００１５】
第８の技術手段は、第１の技術手段において、映像表示装置が、タイマーのカウントが所定時間経過した後、映像表示装置に用意されている特定のメニューにおける特定項目の設定値が、予め定めた特定の値に一致している場合、デモモードで音声及び／または映像を出力することを特徴としたものである。
【００１６】
第９の技術手段は、第１の技術手段において、映像表示装置が、音声及び／または映像の出力条件が異なる複数のデモモードを有し、複数のデモモードのそれぞれに対して特定のコードが関連付けされ、タイマーをセットした後、所定時間が経過する前に特定のコードを入力するユーザ操作が行われ、所定時間が経過した場合、入力された特定のコードに関連付けられているデモモードで音声及び／または映像を出力することを特徴としたものである。
【００１７】
第１０の技術手段は、第９の技術手段において、タイマー設定手段が、タイマーセットした後、所定時間が経過する前に特定のコード入力以外のユーザ操作が行われた場合、または所定時間が経過する前に明るさ検出手段により検出した周囲の明るさが所定値以下になった場合、タイマーをリセットすることを特徴としたものである。
【００１８】
第１１の技術手段は、第１の技術手段において、映像表示装置が、音声及び／または映像の出力条件が異なる複数のデモモードを有し、複数のデモモードのそれぞれに対して、映像表示装置に用意されている特定のメニューにおける特定項目の設定値が関連付けされ、タイマーのカウントが所定時間経過した後、映像表示装置に用意されている特定のメニューにおける特定項目の設定値が、複数のデモモードのいずれかに関連付けた設定値に一致している場合、一致したデモモードで音声及び／または映像を出力することを特徴としたものである。
【００１９】
第１２の技術手段は、第１ないし第１１のいずれかの技術手段において、デモモードで音声及び／または映像を出力する際、現在の音声及び／または映像出力がデモモードに相当するかどうかを判別し、デモモードに相当しない場合は、音声及び／または映像出力の条件を変更し、デモモードに相当する場合には、現在の条件を維持することを特徴としたものである。
【００２０】
第１３の技術手段は、第１２の技術手段において、映像表示装置に予め設定されている複数の出力モードのうち、現在の出力モードがデモモードに一致しているかどうか判定することにより、現在の音声及び／または映像出力がデモモードに相当するかどうかを判別することを特徴としたものである。
【００２１】
第１４の技術手段は、第１２の技術手段において、映像表示装置に予め設定されている音声及び／または映像の複数の条件項目について、現在の設定値とデモモードに相当する設定値とをそれぞれ比較することにより、現在の音声及び／または映像出力がデモモードに相当するかどうかを判別することを特徴としたものである。
【００２２】
第１５の技術手段は、第１または第２の技術手段において、タイマー設定手段が、カード識別手段が特定のカードを識別していれば、タイマーを繰り返しセットすることを特徴としたものである。
【００２３】
第１６の技術手段は、第１〜第２、第４〜第１１のいずれかの技術手段において、映像表示装置の電源を入れたときに、カード識別手段により特定のカードが識別された場合、デモモードで音声及び／または映像を出力することを特徴としたものである。
【００２４】
第１７の技術手段は、第１または第２の技術手段において、特定のカード媒体が、店頭専用のＢ−ＣＡＳカードであることを特徴としたものである。
【発明の効果】
【００２５】
本発明によれば、デモモードで動作している映像表示装置の調整値が変更された場合であっても、それを自動的に検知して所定条件下でデモモードに戻すことにより、意図しないモードのまま放置されることを防止することができる。
【００２６】
このとき、例えば明るさセンサを用いた動作モードなどで自動的にデモモードに戻ってほしくないような場合には、明るさセンサの検出結果に応じてデモモードに戻すかどうかを判断することにより、映像表示装置の使用形態に応じて柔軟に動作制御を行うようにすることができる。
またデモモードに戻すときに、特定のメニューのメニュー値を使用して動作モードを判別することにより、所定時間ユーザ操作が行われないときの動作モードを確実に指定することができる。さらに複数のデモモードを備えて、特定のユーザ操作や特定のメニューのメニュー値により使用するデモモードを指定できるようにすることにより、さらに種々のデモモードを環境や条件等に応じて適宜使い分けることができるようになる。
【発明を実施するための最良の形態】
【００２７】
図１は、本発明の映像表示装置の構成例を示すブロック図で、デジタルチューナを備えたテレビジョン放送受信装置に本発明の映像表示装置を適用した例を示すものである。
映像表示装置１００において、デジタルチューナ部１０１は、デジタル放送の受信信号をチューニングし、復調回路１０２は、チューニングされたデジタル放送のデータを復調する。
【００２８】
外部入力部１０４は、外部接続されたＡＶ機器やＰＣからのビデオ信号／オーディオ信号を入力する端子などを有し、外部機器からの信号入力を可能とする。
映像スイッチ１０３は、復調回路１０２で復調されて分離されたテレビ受信信号と、外部入力部１０４から入力されたビデオ信号とを切替出力する。また音声スイッチ１０７は、復調回路１０２で復調された分離されたオーディオ信号と、外部入力部１０４から入力されたオーディオ信号とを切替出力する。
【００２９】
映像処理回路１０５では、映像スイッチ１０３から切替出力された映像信号を処理し、ディスプレイに表示するための映像信号を出力する。ここでは入力された映像信号のフォーマットに応じて必要な映像処理（例えば、色空間変換処理、ＩＰ変換処理、スケーリング処理、ＦＲＣ処理、γ補正処理、色補正処理、同期検出処理など）を施す。
ディスプレイ１０９は、例えば液晶パネルを備えたもので、映像処理回路１０５から出力された映像信号に基づいて、画像表示を行う。
また音声処理部１０８は、音声スイッチ１０７で切替出力された音声信号を出力信号に変換し、スピーカー１１１によって出力信号を音声出力する。
【００３０】
リモコン受光部１１４は、ユーザが操作するリモコン装置１１５からの信号を受信する。リモコン装置１１５によって、もしくは図示しない装置本体の操作パネルやボタン等によってデモモードに戻すためのコード入力を行うことができる。
【００３１】
また映像表示装置１００は、カード媒体に対するＩ／Ｆを構成するカードリーダ／ライタ１１２を備えている。そして映像表示装置１００では、特定のカード媒体がカードリーダ／ライタ１１２に装着されているときには、ユーザ操作によって調整値が変更された場合でも一定条件下でデモモードに戻す動作を行う。デモモードに戻す場合、タイマー１１３を使用して最後のユーザ操作からの経過時間をカウントし、所定時間経過した後にデモモードに戻す制御を行う。
【００３２】
さらに映像表示装置１００は、上記のカード媒体がカードリーダ／ライタ１１２に挿入されている場合、さらに特定の情報入力があったとき、例えばリモコン操作などにより所定のコードが入力されたときに、デモモードの調整値が変更されていれば、デモモードに戻す処理を行うようにすることができる。
【００３３】
また上記のようなカード媒体に関係なく、映像表示装置１００に上記のような特定の情報入力があったときに、デモモードに変更する処理を行うことができる。さらに特定の情報入力後に、ユーザ操作によって調整値が変更された場合でも一定条件下でデモモードに戻す動作を行う。この場合、タイマー１１３を使用してデモモードへの設定時もしくは最後のユーザ操作からの経過時間をカウントし、所定時間経過した後にデモモードに戻す制御を行う。
【００３４】
システムマイコン１０６は、映像表示装置１００の各部を制御する。また不揮発メモリ１１０が備えられ、各種データやプログラムが保持される。
本発明に関わるカード識別、タイマー設定、特定コード入力の検出、現在の出力条件とデモモードとの比較、及びデモモードへの条件設定等の処理は、不揮発メモリ１１０もしくは他の記憶手段に記憶させたプログラムやデータを使用してシステムマイコン１０６が実行する。従って本発明のカード識別手段やタイマー設定手段もシステムマイコン１０６により実現される。
【００３５】
本発明に関わる実施形態では、上記特定のカード媒体として、店頭用の白いＢ−ＣＡＳ（BS Conditional Access Systems）カードを用いることができる。Ｂ−ＣＡＳカードは、周知のようにデジタル放送を見るために必要なＩＣカードであって、このカードを所定のスロットに挿入することにより、デジタル放送の暗号化を解除することができる。
Ｂ−ＣＡＳカードには、店頭専用の白いカードが用意されている。本発明に関わる実施形態では、この店頭専用のＢ−ＣＡＳカードが挿入されているときに、デモモードに戻す動作を実行できるようにする。
【００３６】
なお本発明では、上記の店頭専用Ｂ―ＣＡＳカードに限定されることなく、適宜最適なカード媒体を適用してもよい。すなわち特定の識別情報を含むカード媒体が映像表示装置の所定のスロットに挿入されているときにのみ、映像表示装置がそれを識別し、デモモードの調整値が変更された場合であっても所定条件下でデモモードに戻す処理を行うことができればよい。
【００３７】
ただし店頭専用のＢ−ＣＡＳカードを適用することにより、店頭でのみ本発明に関わる処理を実行させることができる、という利点が得られる。
すなわち、例えば映像表示装置１００を店頭で購入したユーザが自宅で映像表示装置１００を視聴する場合には、店頭専用Ｂ−ＣＡＳカードではなく一般のＢ−ＣＡＳカード（赤，青，オレンジ等）を使用する。従ってユーザが自宅で視聴する場合には自動的にデモモードに戻ることはなく、店頭専用Ｂ−ＣＡＳカードを使用する店頭でのみ本発明に関わるデモモードへの復帰動作を実行させることができる。これにより、ユーザが自宅で使用するときに意図せずに自動的にデモモードに戻ってしまうことはない。
【００３８】
次に映像表示装置に設定される出力モードの設定例を説明する。映像表示装置は、映像・音声の状態をユーザ所望の状態に設定することができる。
ユーザが音声／映像の出力条件を設定する場合、映像表示装置に予め用意された出力モード（ＡＶポジションなどと呼ばれる）を選択する手法と、予め用意された音声／映像に関わる個別の条件項目を任意に設定する手法とがある。
【００３９】
映像表示装置には、上記の出力モードとして、例えば“ダイナミックモード”、“標準モード”、“ゲームモード”、“ＰＣモード”、“ＡＶメモリーモード”、などが設定される。
“ダイナミックモード”は、上述のデモモードとして使用できるモードであり、くっきり色鮮やかな映像でスポーツ番組などを迫力あふれたものとして視聴できるようにしている。また“標準モード”は画質・音声の設定が標準値であること示すモードである。
【００４０】
また“ゲーム”モードは、テレビゲームなどの映像を、明るさを抑えて目に優しく表示させるようにしたモードである。また“ＰＣモード”は、ＰＣ用の画面モードである。また“ＡＶメモリーモード”は、各入力ごとに任意の調整内容を記憶させることができるモードである。
【００４１】
映像表示装置では、上記のような複数の出力モードが用意され、ユーザが任意にモード選択することができる。例えば、リモコン装置に用意されたモード選択ボタン（ＡＶポジションボタン）を押すことにより、映像表示装置の所定位置に現在の出力モードを表示ささることができる。そしてモード選択ボタンに対するユーザ操作に従って、順次出力モードを切り替えて設定することができる。
もちろんこれらのモード設定機能は一例であって、用意する出力モードとその選択手段は、適宜最適な形態を設定することができる。
【００４２】
また予め用意された映像・音声に関わる個別の設定条件としては、以下のような条件項目が用意される。
例えば音声調整の条件項目としては、音声の高温レベルの調整を行うための高音調整、音声の低音レベルの調整を行うための低音調整、左右のスピーカーの音声バランスを調整するためのバランス調整などが用意される。これらの項目ごとに、ユーザは任意のレベルや設定値を選択することができる。
【００４３】
また例えば映像調整の条件項目としては、映像の明るさ、黒レベル、色の濃さ、色あい、画質などの項目を用意することができる。さらに明るさセンサを設けて映像表示装置の周囲の明るさに応じた輝度制御を行うようにし、その明るさセンサのＯＮ／ＯＦＦ切替を可能とする項目を設けることができる。あるいは、さらに詳細な設定項目として、色相・彩度・明度を変化させるカラーマネジメント調整、色温度の調整、エッジ補正、シーンに応じたコントラスト調整、Ｉ／Ｐ設定、フィルムモード、３次元処理による画質設定、モノクロ表示設定などを用意することができる。ユーザは、これらの項目ごとに、任意のレベルや設定値を選択することができる。
出力モードと同様に、これらの音声／映像の条件項目は一例であって、用意する音声／映像の調整用の条件項目とその選択手段は、適宜最適な形態を設定することができる。
【００４４】
図２は、本発明による映像表示装置における処理動作の一例を説明するためのフローチャートである。以下図１の映像表示装置を参照しながら説明する。
本例では、予め定められた特定のカード媒体（例えば白い店頭用Ｂ−ＣＡＳカード）が、映像表示装置１００のカードリーダ／ライタ１１２のスロットに挿入されている場合、ユーザ操作によって映像や音声の調整値や出力モードが変更されても、その後ユーザ操作が所定時間（ｔ）行われないときには、調整値を元のデモモードに戻す処理を行う。
【００４５】
図２において、映像表示装置１００のシステムマイコン１０６は、映像表示装置１００が通常動作を行っている状態で（ステップＳ１）、特定のカード媒体が挿入されたかどうかを判別する（ステップＳ２）。通常動作とは、現在の音声／映像設定に従う動作を継続する動作であり、例えば、ユーザ操作によって出力モードや調整値が変更された場合には、その変更された設定に従う動作を継続維持する。この通常動作中にデモモードに設定された場合には、デモモードによる音声／映像出力を維持し、他の出力モードや音声／映像の調整値に設定されている場合にも、これらの設定値で音声／映像を出力する。
【００４６】
映像表示装置のシステムマイコン１０６は、カードリーダ／ライタ１１２のスロットに特定のカード媒体が挿入された場合（ステップＳ２−ＹＥＳ）、タイマー１１３をセットする（ステップＳ３）。カードリーダ／ライタ１１２へのカード媒体の挿入の有無は、例えばカードリーダ／ライタ１１２が備えるスイッチの動作によって検知することができる。また定期的にカード挿入の有無を検知するようにしてもよい。
また映像表示装置の電源がＯＮされた時点で特定のカード媒体がすでに挿入されている場合には、その時点でタイマー１１３をセットする。
【００４７】
そしてその後ユーザ操作が行われたかどうかを監視する（ステップＳ４）。ユーザ操作は、例えば映像表示装置１００に付属するリモコン装置１１５等を用いた操作が含まれる。
ユーザ操作が行われた場合には、タイマー１１３を更新する（ステップＳ９）。そしてステップＳ３でセットされたタイマーもしくは、ステップＳ９で更新されたタイマーのカウントによって所定時間（ｔ）が経過したかどうかを判別する（ステップＳ５）。所定時間（ｔ）は、予め任意に設定しておくことができる。例えば所定時間（ｔ）として“３０分”を設定することができる。
【００４８】
タイマーセット後、所定時間（ｔ）が経過した場合（ステップＳ５−ＹＥＳ）、再度、特定のカード媒体がカードリーダ／ライタ１１２のスロットに挿入されているかどうかを判別する（ステップＳ６）。ここで特定のカード媒体が挿入されていなければ、挿入されていたカード媒体が抜かれたことを意味するので、ステップＳ１の通常動作に戻る。つまり、所定時間（ｔ）が経過する前にユーザ操作が行われて、音声／映像設定が変更されていても、その変更された設定を維持して音声／映像の出力動作を継続する。
【００４９】
ステップＳ６で特定のカード媒体が挿入されていれば、さらに映像表示装置１００の音声／映像設定が、デモモードとは異なる値に変更されているかどうかを判別する（ステップＳ７）。音声／映像設定の変更は、上記のように音声／映像に関わる個別の条件項目のいずれかまたは複数が変更された場合と、上記の出力モードが変更された場合の両方を含むものとする。
【００５０】
音声／映像設定がデモモードとは異なる値に設定されている場合は、音声／映像設定をデモモードの設定に変更する（ステップＳ８）。デモモードに変更した後は、ステップＳ１の通常動作に戻ってデモモードを継続し、特定のカード媒体が挿入されていればタイマーをセットして、上記の処理を繰り返す。また音声／映像設定がデモモードに一致している場合には、ステップＳ１の通常動作に戻ってデモモードを継続する。そして特定のカード媒体が挿入されていれば、再びタイマーをセットして、上記の処理を繰り返す。
【００５１】
なおデモモードから他のモードまたは他の音声／映像設定に変更する場合には、ステップＳ１の通常動作中、もしくはカード媒体挿入時にステップＳ４のユーザ操作によって設定変更が行われる。この場合、特定のカードが挿入されていなければステップＳ１の通常動作を継続し、特定のカードが挿入されていればタイマー設定に従ってデモモードに変更される。
【００５２】
上記の処理により、特定のカード媒体がカードリーダ／ライタ１１２挿入されていれば、ユーザ操作後に所定時間経過したときに、変更された音声／映像設定をデモモードの設定に戻す処理を自動的に実行することができる。
【００５３】
また上記のフローにおいて、特定のカード媒体がカードリーダ／ライタ１１２に挿入されてタイマーがセットされた後、所定時間が経過する前にカード媒体が抜かれた場合、さらに再度カード媒体が挿入されたときには、タイマーをセットすることなくただちにデモモードに戻す処理を行うようにしてもよい。
【００５４】
図３は、本発明による映像表示装置における処理動作の他の例を説明するためのフローチャートである。
本例では、予め定められた特定のカード媒体（例えば白い店頭用Ｂ−ＣＡＳカード）が、映像表示装置１００のカードリーダ／ライタ１１２のスロットに挿入されている場合、最後のユーザ操作から所定時間経過後、もしくはリモコン装置等によって特定のコードが入力されたときに調整値を元のデモモードに戻す処理を行う。
【００５５】
図３において、映像表示装置１００のシステムマイコン１０６は、映像表示装置１００が通常動作を行っている状態で（ステップＳ１１）、特定のカード媒体が挿入されたかどうかを判別する（ステップＳ１２）。
【００５６】
映像表示装置のシステムマイコン１０６は、カードリーダ／ライタ１１２のスロットに特定のカード媒体が挿入された場合（ステップＳ１２−ＹＥＳ）、タイマー１１３をセットする（ステップＳ１３）。カードリーダ／ライタ１１２へのカード媒体の挿入の有無は、図２の例と同様に、カードリーダ／ライタ１１２が備えるスイッチの動作によって検知することができる。また定期的にカード媒体の挿入の有無を検知するようにしてもよい。
また映像表示装置の電源がＯＮされた時点で特定のカード媒体がすでに挿入されている場合には、その時点でタイマー１１３をセットする。
【００５７】
そしてその後ユーザ操作が行われたかどうかを監視する（ステップＳ１４）。ユーザ操作は、例えば映像表示装置１００に付属するリモコン装置１１５等を用いた操作が含まれる。
ユーザ操作が行われた場合、その操作が特定のコード入力を行うものであるかどうかを判別する（ステップＳ１９）。本実施例において、特定のコードとは、音声／映像設定をデモモードにただちに戻すために予め用意されたデモモード移行用のコードである。ユーザは、リモコン装置１１５や本体の操作パネルなどを利用して、特定のコードを入力する操作を行う。
【００５８】
特定のコードが入力された場合、タイマー１１３を更新する（ステップＳ２０）。そしてステップＳ１３でセットされたタイマーもしくは、ステップＳ２０で更新されたタイマーのカウントによって所定時間（ｔ）が経過したかどうかを判別する（ステップＳ１５）。所定時間（ｔ）は、予め任意に設定しておくことができる。ここでは例えば３０分を所定時間（ｔ）として設定する。
【００５９】
タイマーセット後、所定時間（ｔ）が経過した場合（ステップＳ１５−ＹＥＳ）、再度、特定のカード媒体がカードリーダ／ライタ１１２のスロットに挿入されているかどうかを判別する（ステップＳ１６）。ここで特定のカード媒体が挿入されていなければ、挿入されていたカード媒体が抜かれたことを意味するので、ステップＳ１１の通常動作に戻る。つまり、所定時間（ｔ）が経過する前にユーザ操作が行われて、音声／映像設定が変更されていても、その変更された設定を維持して音声／映像の出力動作を継続する。
【００６０】
ステップＳ１６で特定のカード媒体が挿入されていれば、さらに映像表示装置１００の音声／映像設定が、デモモードとは異なる値に変更されているかどうかを判別する（ステップＳ１７）。音声／映像設定の変更は、上記のように音声／映像に関わる個別の条件項目のいずれかまたは複数が変更された場合と、上記の出力モードが変更された場合の両方を含むものとする。
そして音声／映像設定がデモモードとは異なる値に設定されている場合は、音声／映像設定をデモモードの設定に変更する（ステップＳ１８）。デモモードに変更した後は、ステップＳ１１の通常動作に戻ってデモモードを継続し、特定のカード媒体が挿入されていればタイマーをセットして、上記の処理を繰り返す。
【００６１】
また音声／映像設定がデモモードに一致している場合には、ステップＳ１１の通常動作に戻ってデモモードを継続する。そして特定のカード媒体が挿入されていれば、再びタイマーをセットして、上記の処理を繰り返す。
【００６２】
また上記ステップＳ１９で特定のコードが入力された場合には、タイマー１１３のカウントが満了しなくてもステップＳ１７に進み、映像表示装置１００の音声／映像設定が、デモモードとは異なる値に変更されているかどうかを判別し、異なる値に設定されている場合は、音声／映像設定をデモモードの設定に変更する（ステップＳ１８）。
【００６３】
なおデモモードから他のモードまたは他の音声／映像設定に変更する場合には、ステップＳ１１の通常動作中、もしくはカード媒体挿入時にステップＳ１４のユーザ操作によって設定変更が行われる。この場合、特定のカードが挿入されていなければステップＳ１１の通常動作を継続し、特定のカードが挿入されていればタイマー設定もしくは特定のコード入力に従ってデモモードに変更される。
【００６４】
上記の処理により、特定のカード媒体がカードリーダ／ライタ１１２挿入されていれば、ユーザ操作後に所定時間経過したとき、あるいは特定のコードが入力されたときに、変更された音声／映像設定をデモモードの設定に戻す処理を自動的に実行することができる。
【００６５】
また上記のフローにおいても、特定のカード媒体がカードリーダ／ライタ１１２に挿入されてタイマーがセットされた後、所定時間が経過する前に所定のカード媒体が抜かれた場合、さらに再度カードが挿入されたときには、タイマーをセットすることなくただちにデモモードに戻す処理を行うようにしてもよい。
【００６６】
図４は、本発明による映像表示装置における処理動作の更に他の例を説明するためのフローチャートである。
本例では、上述の処理例のようなカード媒体に関係なく、通常動作中にリモコン装置等によって特定のコードが入力されたときに調整値をデモモードに変更する処理を行う。
【００６７】
図４において、映像表示装置１００のシステムマイコンは、映像表示装置が通常動作を行っている状態で（ステップＳ３１）、特定のコードが入力されたかどうかを判別する（ステップＳ３２）。特定のコードが入力していなければ、通常動作を継続し、特定のコードが入力した場合には、映像表示装置１００の音声／映像設定が、デモモードとは異なる値に変更されているかどうかを判別する（ステップＳ３３）。
【００６８】
音声／映像設定がデモモードと異なる値に変更されていなければ、ステップＳ３１で通常動作を継続する。すなわち、デモモードを継続する。また音声／映像設定がデモモードと異なる値に設定されている場合は、音声／映像設定をデモモードの設定に変更する（ステップＳ３４）。
【００６９】
なおデモモードから他のモードまたは他の音声／映像設定に変更する場合には、ステップＳ３１の通常動作中に設定変更が行われる。この場合、特定のコードが入力されることにより再度デモモードに変更される。
上記の処理により、特定のコードが入力されたときに、変更された音声／映像設定をデモモードの設定に戻す処理を自動的に実行することができる。
【００７０】
図５は、本発明による映像表示装置における処理動作の更に他の例を説明するためのフローチャートである。
本例では、リモコン装置等によって特定のコードが入力され、その後ユーザ操作が所定時間（ｔ）行われないときには、調整値を元のデモモードに戻す処理を行う。
【００７１】
図５において、映像表示装置１００のシステムマイコン１０６は、映像表示装置１００が通常動作を行っている状態で（ステップＳ４１）、特定のコードが入力されたかどうかを判別する（ステップＳ４２）。特定のコードが入力した場合、映像表示装置のシステムマイコン１０６は、音声／映像設定をデモモードに変更し（ステップＳ４３）、タイマー１１３をセットする（ステップＳ４４）。
【００７２】
そしてその後ユーザ操作が行われたかどうかを監視する（ステップＳ４５）。ユーザ操作は、例えば映像表示装置１００に付属するリモコン装置１１５等を用いた操作が含まれる。ユーザ操作が行われた場合には、タイマー１１３を更新する（ステップＳ４９）。
そしてステップＳ４４でセットされたタイマーもしくは、ステップＳ４９で更新されたタイマーのカウントによって所定時間（ｔ）が経過したかどうかを判別する（ステップＳ４６）。所定時間（ｔ）は、予め任意に設定しておくことができる。ここでは例えば３０分を所定時間（ｔ）として設定する。
【００７３】
タイマーセット後、所定時間（ｔ）が経過した場合（ステップＳ４６−ＹＥＳ）、映像表示装置１００の音声／映像設定が、デモモードとは異なる値に変更されているかどうかを判別する（ステップＳ４７）。音声／映像設定の変更は、上記のように音声／映像に関わる個別の条件項目のいずれかまたは複数が変更された場合と、上記の出力モードが変更された場合の両方を含むものとする。
【００７４】
そして音声／映像設定がデモモードとは異なる値に設定されている場合は、音声／映像設定をデモモードの設定に変更する（ステップＳ４８）。デモモードに変更した後は、ステップＳ４１の通常動作に戻ってデモモードを継続する。またステップＳ４７で音声／映像設定がデモモードに一致している場合には、ステップＳ４１の通常動作に戻ってデモモードを継続する。
【００７５】
なおデモモードから他のモードまたは他の音声／映像設定に変更する場合には、ステップＳ４１の通常動作中にユーザ操作によって設定変更が行われる。この場合、特定のコード入力がなければステップＳ４１の通常動作を継続し、特定のコードが入力さればデモモードに変更する。
【００７６】
上記の処理により、特定のコード入力によりデモモードを設定した後、タイマーセットから所定時間経過したときに音声／映像設定が変更されていれば、デモモードの設定に戻す処理を自動的に実行することができる。
【００７７】
図６は、映像表示装置の電源ＯＮ時の処理動作の一例を説明するためのフローチャートである。映像表示装置の電源がＯＮになったときに（ステップＳ５１）、特定のカード媒体がカードリーダ／ライタ１１２に挿入されていれば（ステップＳ５２−ＹＥＳ）、さらに映像表示装置１００の音声／映像設定がデモモードとは異なる設定なっているかどうかを判別する（ステップＳ５３）。
【００７８】
そして音声／映像設定がデモモードとは異なる値に設定されている場合は、音声／映像設定をデモモードの設定に変更する（ステップＳ５４）。また音声／映像設定がデモモードに一致している場合には通常動作を行う（ステップＳ５５）。つまりデモモードを継続する。
またステップＳ５２で特定のカード媒体が挿入されていない場合にも通常動作を行う（ステップＳ５５）。ここでは、電源ＯＮ時に保持されている音声／映像設定に従って音声／映像を出力する。
【００７９】
図７は、本発明による映像表示装置の他の構成例を示すブロック図で、図１の構成例に加えて明るさセンサ１１６を備えたテレビジョン放送受信装置の例を示すものである。
本例の映像表示装置１００は、装置周囲の明るさ（周囲の照度）を検出するための明るさ検出手段である明るさセンサ１１６を備えている。明るさセンサ１１６としては、例えばフォトダイオードが適用できる。
【００８０】
そして明るさセンサ１１６では、検出した周囲光に応じた直流電圧信号が生成され、システムマイコン１０６に対して出力される。システムマイコン１０６では明るさセンサ１１６から出力された直流電圧信号に応じて、所定条件下で映像／音声のモード制御を行う。明るさセンサ１１６を除く他の構成については図１の例と同様であるため、その繰り返しの説明は省略する。以下に明るさセンサ１１６を使用した映像／音声モード制御例を説明する。
【００８１】
図８は、本発明による映像表示装置における処理動作の更に他の例を説明するためのフローチャートである。
本例では、予め定められた特定のカード媒体（例えば白い店頭用Ｂ−ＣＡＳカード）が、映像表示装置１００のカードリーダ／ライタ１１２のスロットに挿入されている場合、ユーザ操作によって映像や音声の調整値や出力モードが変更されても、その後映像表示装置１００の周囲の明るさが一定値以下ではない状態でユーザ操作が所定時間（ｔ）行われないときには、調整値を元のデモモードに戻す処理を行う。
【００８２】
図８において、映像表示装置１００のシステムマイコン１０６は、映像表示装置１００が通常動作を行っている状態で（ステップＳ６１）、特定のカード媒体が挿入されたかどうかを判別する（ステップＳ６２）。上述したように通常動作とは、現在の音声／映像設定に従う動作を継続する動作であり、例えば、ユーザ操作によって出力モードや調整値が変更された場合には、その変更された設定に従う動作を継続維持する。この通常動作中にデモモードに設定された場合には、デモモードによる音声／映像出力を維持し、他の出力モードや音声／映像の調整値に設定されている場合にも、これらの設定値で音声／映像を出力する。
【００８３】
映像表示装置のシステムマイコン１０６は、カードリーダ／ライタ１１２のスロットに特定のカード媒体が挿入された場合（ステップＳ６２−ＹＥＳ）、タイマー１１３をセットする（ステップＳ６３）。カードリーダ／ライタ１１２へのカード媒体の挿入の有無は、上述の例と同様にカードリーダ／ライタ１１２が備えるスイッチの動作によって検知することができ、また定期的にカード挿入の有無を検知するようにしてもよい。また映像表示装置の電源がＯＮされた時点で特定のカード媒体がすでに挿入されている場合には、その時点でタイマー１１３をセットする。
【００８４】
そしてその後ユーザ操作が行われたかどうかを監視する（ステップＳ６４）。ユーザ操作は、例えば映像表示装置１００に付属するリモコン装置１１５等を用いた操作が含まれる。
ユーザ操作が行われていなければ、さらに明るさセンサの値が一定値以下であるかどうかを判定する（ステップＳ６５）。明るさセンサの値は、明るさセンサから出力される電圧信号のレベルであってもよく、あるいは明るさセンサの出力信号から判定される装置周囲の明るさレベルであってもよい。
【００８５】
そしてステップＳ６３でセットされたタイマーのカウントによって、明るさセンサの値が一定値以下ではない状態（すなわち装置周囲の明るさが所定レベルより明るい状態）で所定時間（ｔ）が経過したかどうかを判別する（ステップＳ６６）。所定時間（ｔ）は、予め任意に設定しておくことができる。例えば所定時間（ｔ）として“３０分”を設定することができる。
【００８６】
一方ステップＳ６４でユーザ操作が行われた場合には、タイマー１１３を更新する（ステップＳ７０）。この場合はタイマーセット後に所定時間（ｔ）が経過する前に、ユーザ操作が行われたことを意味する。
またステップＳ６５で明るさセンサの値が一定値以下である場合（すなわち装置周囲の明るさが所定レベルより暗い状態）にも、タイマー１１３を更新する（ステップＳ７０）。そして更新したタイマーのカウントによって所定時間（ｔ）が経過したかどうかを判別する（ステップＳ６６）。
【００８７】
ステップＳ６３でタイマー１１３をセットした後、もしくはステップＳ７０でタイマー１１３を更新した後、ユーザ操作がなく、かつ明るさセンサの値が一定値以下ではない状態で所定時間（ｔ）が経過した場合（ステップＳ６６−ＹＥＳ）、再度、特定のカード媒体がカードリーダ／ライタ１１２のスロットに挿入されているかどうかを判別する（ステップＳ６７）。
【００８８】
ここで特定のカード媒体が挿入されていなければ、挿入されていたカード媒体が抜かれたことを意味するので、ステップＳ６１の通常動作に戻る。つまり、所定時間（ｔ）が経過する前にユーザ操作が行われて、音声／映像設定が変更されていても、その変更された設定を維持して音声／映像の出力動作を継続する。
【００８９】
ステップＳ６７で特定のカード媒体が挿入されていれば、さらに映像表示装置１００の音声／映像設定が、デモモードとは異なる値に変更されているかどうかを判別する（ステップＳ６８）。音声／映像設定の変更は、上記のように音声／映像に関わる個別の条件項目のいずれかまたは複数が変更された場合と、上記の出力モードが変更された場合の両方を含むものとする。
【００９０】
音声／映像設定がデモモードとは異なる値に設定されている場合は、音声／映像設定をデモモードの設定に変更する（ステップＳ６９）。デモモードに変更した後は、ステップＳ６１の通常動作に戻ってデモモードを継続し、特定のカード媒体が挿入されていればタイマーをセットして、上記の処理を繰り返す。また音声／映像設定がデモモードに一致している場合には、ステップＳ６１の通常動作に戻ってデモモードを継続する。そして特定のカード媒体が挿入されていれば、再びタイマーをセットして、上記の処理を繰り返す。
【００９１】
なおデモモードから他のモードまたは他の音声／映像設定に変更する場合には、ステップＳ６１の通常動作中、もしくはカード媒体挿入時にステップＳ６４のユーザ操作によって設定変更が行われる。この場合、特定のカードが挿入されていなければステップＳ６１の通常動作を継続し、特定のカードが挿入されていればタイマー設定に従ってデモモードに変更される。
【００９２】
上記の処理により、特定のカード媒体がカードリーダ／ライタ１１２挿入されていれば、ユーザ操作後に明るさセンサの値が一定値以下の状態で所定時間経過したときに、変更された音声／映像設定をデモモードの設定に戻す処理を自動的に実行することができる。
【００９３】
本実施例により、特定の条件下ではデモモードに自動移行しないように制御させることができる。例えば、明るさセンサ１１３を用いてバックライトの発光輝度を制御するモードが設定されている場合に有効である。
映像表示装置１００のディスプレイ１０９がバックライトと液晶パネルによって構成されていて、明るさセンサ１１３により検出した装置周囲の明るさに応じてバックライトの発光輝度を制御するようにした映像表示装置が知られている。この場合、装置周囲が暗くなると、バックライトの発光輝度を低くして画面を見やすくするとともに低消費電力化を実現できるようにしている。
【００９４】
例えば店頭では、明るさセンサ１１３の前に動くポップを用意し、明るさセンサ１１３の検出結果に応じて、画面が明るくなったり暗くなったりするようなデモを行う場合がある。このような場合に、ユーザ操作が一定時間行われないときにデモモードに移行させてしまうと、明るさセンサ１１３を使用したデモが実行できなくなる。本実施例によって明るさセンサ１１３の値に基づいてデモモードへの変更制御を行うことにより、意図せずにデモモードに移行してしまうことがなくなる。
【００９５】
また他の例として、例えば店頭のシアタルームに映像表示装置１００が設置され、映像表示装置１００に映画を表示させる場合がある。このときユーザ操作が一定時間行われないときにデモモードに移行させてしまうと、本来通常より暗い画面の映画モードで表示させたいにもかかわらず、画面が明るくなってしまい意図したデモを行うことができなくなる。あるいは例えばショールーム等で標準の映像調整で表示を行うとき、画面が最も明るいデモモードでは表示させたくない場合がある。
これらの場合であっても、本実施例により明るさセンサ１１３の値に基づいてデモモードへの変更制御を行うことにより、映画表示中や標準設定中に意図せずにデモモードに移行してしまうことがなくなる。
【００９６】
図９は、本発明による映像表示装置における処理動作の更に他の例を説明するためのフローチャートである。
本例では、予め定められた特定のカード媒体（例えば白い店頭用Ｂ−ＣＡＳカード）が、映像表示装置１００のカードリーダ／ライタ１１２のスロットに挿入されている場合、ユーザ操作によって映像や音声の調整値や出力モードが変更されても、その後映像表示装置１００の周囲の明るさが一定値以下ではない状態でユーザ操作が所定時間（ｔ）行われないときには、調整値を元のデモモードに戻す処理を行い、明るさセンサに関わらず特定のコードが入力されたときにはデモモードに移行しない処理を行う。
【００９７】
図９において、映像表示装置１００のシステムマイコン１０６は、映像表示装置１００が通常動作を行っている状態で（ステップＳ７１）、特定のカード媒体が挿入されたかどうかを判別する（ステップＳ７２）。
映像表示装置のシステムマイコン１０６は、カードリーダ／ライタ１１２のスロットに特定のカード媒体が挿入された場合（ステップＳ７２−ＹＥＳ）、タイマー１１３をセットする（ステップＳ７３）。カードリーダ／ライタ１１２へのカード媒体の挿入の有無は、例えばカードリーダ／ライタ１１２が備えるスイッチの動作によって検知することができる。また定期的にカード挿入の有無を検知するようにしてもよい。また映像表示装置の電源がＯＮされた時点で特定のカード媒体がすでに挿入されている場合には、その時点でタイマー１１３をセットする。
【００９８】
そしてその後ユーザ操作が行われたかどうかを判定する（ステップＳ７４）。ユーザ操作は、例えば映像表示装置１００に付属するリモコン装置１１５等を用いた操作が含まれる。ユーザ操作が行われていなければ、さらに明るさセンサの値が一定値以下であるかどうかを判定する（ステップＳ７５）。明るさセンサの値は、明るさセンサから出力される電圧信号のレベルであってもよく、あるいは明るさセンサの出力信号から判定される装置周囲の明るさレベルであってもよい。
【００９９】
そしてステップＳ７３でセットされたタイマーのカウントによって、明るさセンサの値が一定値以下ではない状態（すなわち装置周囲の明るさが所定レベルより明るい状態）で所定時間（ｔ）が経過したかどうかを判別する（ステップＳ７６）。所定時間（ｔ）は、予め任意に設定しておくことができ、例えば“３０分”を設定することができる。
【０１００】
一方ステップＳ７４でユーザ操作が行われた場合には、その操作が特定のコード入力を行うものであるかどうかを判別する（ステップＳ８０）。上述の図３及び図４に係る実施例では、特定のコードは、音声／映像設定をデモモードに戻すために用意されていたが、本実施例においては、特定のコードは、タイマーセットを終了してデモモードに自動移行しないようにするために予め用意されたデモモード移行停止用のコードである。ユーザは、リモコン装置１１５や本体の操作パネルなどを利用して、特定のコードを入力する操作を行う。例えばリモコン装置１１５に用意される青，赤，緑，黄のボタンを順番に押すことにより、上記特定のコードを含むリモコン信号が送信されるように設定することができる。
【０１０１】
そしてステップＳ８０で特定のコードが入力された場合には、タイマーセットを終了する（ステップＳ８２）。これによりユーザ操作が所定時間行われなくても、自動でデモードに移行する処理は行わない。
一方ステップＳ８０で特定のコードの入力でなければ、タイマー１１３を更新する（ステップＳ８１）。この場合はタイマーセット後に所定時間（ｔ）が経過する前に、特定のコード入力ではないユーザ操作が行われたことを意味する。
【０１０２】
またステップＳ７５で明るさセンサの値が一定値以下である場合（すなわち装置周囲の明るさが所定レベルより暗い状態）にも、タイマー１１３を更新する（ステップＳ７０）。そして更新したタイマーのカウントによって所定時間（ｔ）が経過したかどうかを判別する（ステップＳ７６）。
【０１０３】
ステップＳ７３でタイマー１１３をセットした後、もしくはステップＳ８１でタイマー１１３を更新した後、ユーザ操作がなく、かつ明るさセンサの値が一定値以下ではない状態で所定時間（ｔ）が経過した場合（ステップＳ７６−ＹＥＳ）、再度、特定のカード媒体がカードリーダ／ライタ１１２のスロットに挿入されているかどうかを判別する（ステップＳ７７）。
【０１０４】
ここで特定のカード媒体が挿入されていなければ、挿入されていたカード媒体が抜かれたことを意味するので、ステップＳ７１の通常動作に戻る。つまり、所定時間（ｔ）が経過する前にユーザ操作が行われて、音声／映像設定が変更されていても、その変更された設定を維持して音声／映像の出力動作を継続する。
【０１０５】
ステップＳ７７で特定のカード媒体が挿入されていれば、さらに映像表示装置１００の音声／映像設定が、デモモードとは異なる値に変更されているかどうかを判別する（ステップＳ７８）。音声／映像設定の変更は、上記のように音声／映像に関わる個別の条件項目のいずれかまたは複数が変更された場合と、上記の出力モードが変更された場合の両方を含むものとする。
【０１０６】
音声／映像設定がデモモードとは異なる値に設定されている場合は、音声／映像設定をデモモードの設定に変更する（ステップＳ７９）。デモモードに変更した後は、ステップＳ７１の通常動作に戻ってデモモードを継続し、特定のカード媒体が挿入されていればタイマーをセットして、上記の処理を繰り返す。また音声／映像設定がデモモードに一致している場合には、ステップＳ７１の通常動作に戻ってデモモードを継続する。そして特定のカード媒体が挿入されていれば、再びタイマーをセットして、上記の処理を繰り返す。
【０１０７】
なおデモモードから他のモードまたは他の音声／映像設定に変更する場合には、ステップＳ７１の通常動作中、もしくはカード媒体挿入時にステップＳ７４のユーザ操作によって設定変更が行われる。この場合、特定のカードが挿入されていなければステップＳ７１の通常動作を継続し、特定のカードが挿入されていればタイマー設定に従ってデモモードに変更される。
【０１０８】
上記の処理により、特定のカード媒体がカードリーダ／ライタ１１２挿入されていれば、ユーザ操作後に明るさセンサの値が一定値以下の状態で所定時間経過したときに、変更された音声／映像設定をデモモードの設定に戻す処理を自動的に実行することができ、また明るさセンサに関わらず特定のコードが入力されたときにはデモモードに移行しないようにすることができる。
【０１０９】
図１０は、本発明による映像表示装置における処理動作の更に他の例を説明するためのフローチャートである。
本例では、予め定められた特定のカード媒体（例えば白い店頭用Ｂ−ＣＡＳカード）が、映像表示装置１００のカードリーダ／ライタ１１２のスロットに挿入されている場合、ユーザ操作によって映像や音声の調整値や出力モードが変更されても、その後ユーザ操作が所定時間（ｔ）行われないとき、特定のメニュー値に従って調整値を元のデモモードに戻すかどうかを判定する。
【０１１０】
本実施例の映像表示装置１００は明るさセンサの検出値を使用しないため、上記図１の構成の映像表示装置１００であってもよく、また明るさセンサによるバックライト制御機能を備えた図７の映像表示装置１００であってもよい。
【０１１１】
図１０において、映像表示装置１００のシステムマイコン１０６は、映像表示装置１００が通常動作を行っている状態で（ステップＳ９１）、特定のカード媒体が挿入されたかどうかを判別する（ステップＳ９２）。
映像表示装置のシステムマイコン１０６は、カードリーダ／ライタ１１２のスロットに特定のカード媒体が挿入された場合（ステップＳ９２−ＹＥＳ）、タイマー１１３をセットする（ステップＳ９３）。カードリーダ／ライタ１１２へのカード媒体の挿入の有無は、上述のようにカードリーダ／ライタ１１２が備えるスイッチの動作によって検知することができ、また定期的にカード挿入の有無を検知するようにしてもよい。また映像表示装置の電源がＯＮされた時点で特定のカード媒体がすでに挿入されている場合には、その時点でタイマー１１３をセットする。
【０１１２】
そしてその後ユーザ操作が行われたかどうかを監視する（ステップＳ９４）。ユーザ操作は、例えば映像表示装置１００に付属するリモコン装置１１５等を用いた操作が含まれる。ユーザ操作が行われた場合には、タイマー１１３を更新する（ステップＳ１００）。そしてステップＳ９３でセットされたタイマーもしくは、ステップＳ１００で更新されたタイマーのカウントによって所定時間（ｔ）が経過したかどうかを判別する（ステップＳ９５）。所定時間（ｔ）は、予め任意に設定しておくことができ、例えば“３０分”を設定することができる。
【０１１３】
タイマーセット後、所定時間（ｔ）が経過した場合（ステップＳ９５−ＹＥＳ）、再度、特定のカード媒体がカードリーダ／ライタ１１２のスロットに挿入されているかどうかを判別する（ステップＳ９６）。ここで特定のカード媒体が挿入されていなければ、挿入されていたカード媒体が抜かれたことを意味するので、ステップＳ９１の通常動作に戻る。つまり、所定時間（ｔ）が経過する前にユーザ操作が行われて、音声／映像設定が変更されていても、その変更された設定を維持して音声／映像の出力動作を継続する。
【０１１４】
ステップＳ９６で特定のカード媒体が挿入されていれば、特定のメニューの設定値が特定の値になっているかどうかを判別する（ステップＳ９７）。
図１１は、特定のメニューの一例を示す図である。映像表示装置１００は、装置の各種機能に関わる条件設定等を行うために各種のメニューが用意される。例えば図１１に示すような特定のメニュー１０において、特定項目の設定値（メニュー値）１１に応じて、デモモードに移行するか否かを決定させるようにする。例えば、特定項目のメニュー値１１は、図１１の例では−６４〜＋６４まで設定が可能である。この設定値が特定の値になっているときにはデモモードに移行し、他の値になっているときにはデモモードへの移行を行わないようにする。
【０１１５】
図１０に戻って説明する。ステップＳ９７で特定のメニューの設定値（メニュー値）が特定の値でない場合には、ステップＳ９１に通常動作に戻って現在の調整値を維持する。また特定のメニューの設定値が特定の値であった場合には、さらに映像表示装置１００の音声／映像設定が、デモモードとは異なる値に変更されているかどうかを判別する（ステップＳ９８）。音声／映像設定の変更は、上記のように音声／映像に関わる個別の条件項目のいずれかまたは複数が変更された場合と、上記の出力モードが変更された場合の両方を含むものとする。
【０１１６】
音声／映像設定がデモモードとは異なる値に設定されている場合は、音声／映像設定をデモモードの設定に変更する（ステップＳ９９）。デモモードに変更した後は、ステップＳ９１の通常動作に戻ってデモモードを継続し、特定のカード媒体が挿入されていればタイマーをセットして、上記の処理を繰り返す。また音声／映像設定がデモモードに一致している場合には、ステップＳ９１の通常動作に戻ってデモモードを継続する。そして特定のカード媒体が挿入されていれば、再びタイマーをセットして、上記の処理を繰り返す。
【０１１７】
なおデモモードから他のモードまたは他の音声／映像設定に変更する場合には、ステップＳ９１の通常動作中、もしくはカード媒体挿入時にステップＳ９４のユーザ操作によって設定変更が行われる。この場合、特定のカードが挿入されていなければステップＳ９１の通常動作を継続し、特定のカードが挿入されていればタイマー設定に従ってデモモードに変更される。
【０１１８】
上記の処理により、特定のカード媒体がカードリーダ／ライタ１１２挿入されていれば、ユーザ操作後に所定時間経過したときに、特定のメニューのメニュー値に従って、変更された音声／映像設定をデモモードの設定に戻す処理を自動的に実行することができる。
【０１１９】
図１２は、本発明による映像表示装置における処理動作の更に他の例を説明するためのフローチャートである。
本例では、予め定められた特定のカード媒体（例えば白い店頭用Ｂ−ＣＡＳカード）が、映像表示装置１００のカードリーダ／ライタ１１２のスロットに挿入されている場合、ユーザ操作によって映像や音声の調整値や出力モードが変更されても、その後映像表示装置１００の周囲の明るさが一定値以下ではない状態でユーザ操作が所定時間（ｔ）行われないときにはデモモードに移行する処理を行う。このときに映像表示装置１００では、複数のデモモードを用意しておき、移行するデモモードを特定のコード入力に応じて決定する。本実施例は、明るさセンサによる検出値を用いた制御が行われるため、図７に示す映像表示装置１００の構成が適用される。
【０１２０】
図１２において、映像表示装置１００のシステムマイコン１０６は、映像表示装置１００が通常動作を行っている状態で（ステップＳ１０１）、特定のカード媒体が挿入されたかどうかを判別する（ステップＳ１０２）。
映像表示装置のシステムマイコン１０６は、カードリーダ／ライタ１１２のスロットに特定のカード媒体が挿入された場合（ステップＳ１０２−ＹＥＳ）、タイマー１１３をセットする（ステップＳ１０３）。カードリーダ／ライタ１１２へのカード媒体の挿入の有無は、例えばカードリーダ／ライタ１１２が備えるスイッチの動作によって検知することができ、また定期的にカード挿入の有無を検知するようにしてもよい。また映像表示装置の電源がＯＮされた時点で特定のカード媒体がすでに挿入されている場合には、その時点でタイマー１１３をセットする。
【０１２１】
またこのときに複数のデモモードを選択するために使用する値ｘを１に設定する。ｘ＝１の場合には、予め設定された複数のデモモードのうちのデモモード１を選択するものとする。なお値ｘは説明のために便宜的に定めたものである。ここでは特定のコードとデモモードとが関連付けられるものであればよい。
【０１２２】
そしてその後ユーザ操作が行われたかどうかを判定する（ステップＳ１０４）。ユーザ操作は、例えば映像表示装置１００に付属するリモコン装置１１５等を用いた操作が含まれる。ユーザ操作が行われていなければ、さらに明るさセンサの値が一定値以下であるかどうかを判定する（ステップＳ１０５）。明るさセンサの値は、明るさセンサから出力される電圧信号のレベルであってもよく、あるいは明るさセンサの出力信号から判定される装置周囲の明るさレベルであってもよい。
【０１２３】
そしてステップＳ１０３でセットされたタイマーのカウントによって、明るさセンサの値が一定値以下ではない状態（すなわち装置周囲の明るさが所定レベルより明るい状態）で所定時間（ｔ）が経過したかどうかを判別する（ステップＳ１０６）。所定時間（ｔ）は、予め任意に設定しておくことができ、例えば“３０分”を設定することができる。
【０１２４】
一方ステップＳ１０４でユーザ操作が行われた場合には、その操作が特定のコード入力を行うものであるかどうかを判別する（ステップＳ１１０）。本実施例において、特定のコードとは、予め設定された複数のデモモードを選択するために用意されたデモモード選択用のコードである。ユーザは、リモコン装置１１５や本体の操作パネルなどを利用して、特定のコードを入力する操作を行う。例えばリモコン装置１１５に用意される青，赤，緑，黄のボタンを黄，緑，黄，緑の順番に押すことにより、デモモード１に相当する値ｘ＝１に設定され（ステップＳ１１２）、青，赤，青，赤の順番に押すことにより、デモモード２に相当する値ｘ＝２に設定される（ステップＳ１１３）。勿論これらのボタンの割り当ては適宜設定が可能である。ステップＳ１１２またはステップＳ１１３で値ｘを設定した後、ステップＳ１１１に移行する。
【０１２５】
一方ステップＳ１１０で特定のコードの入力でなければタイマー１１３を更新する（ステップＳ１１１）。この場合はタイマーセット後に所定時間（ｔ）が経過する前に、特定のコード入力ではないユーザ操作が行われたことを意味する。
【０１２６】
またステップＳ１０５で明るさセンサの値が一定値以下である場合（すなわち装置周囲の明るさが所定レベルより暗い状態）にも、タイマー１１３を更新する（ステップＳ７０）。そして更新したタイマーのカウントによって所定時間（ｔ）が経過したかどうかを判別する（ステップＳ１０６）。
【０１２７】
ステップＳ１０３でタイマー１１３をセットした後、もしくはステップＳ１１１でタイマー１１３を更新した後、ユーザ操作がなく、かつ明るさセンサの値が一定値以下ではない状態で所定時間（ｔ）が経過した場合（ステップＳ１０６−ＹＥＳ）、再度、特定のカード媒体がカードリーダ／ライタ１１２のスロットに挿入されているかどうかを判別する（ステップＳ１０７）。
【０１２８】
ここで特定のカード媒体が挿入されていなければ、挿入されていたカード媒体が抜かれたことを意味するので、ステップＳ１０１の通常動作に戻る。つまり所定時間（ｔ）が経過する前にユーザ操作が行われて、音声／映像設定が変更されていても、その変更された設定を維持して音声／映像の出力動作を継続する。
【０１２９】
ステップＳ１０７で特定のカード媒体が挿入されていれば、さらに映像表示装置１００の音声／映像設定が、デモモードとは異なる値に変更されているかどうかを判別する（ステップＳ１０８）。音声／映像設定の変更は、上記のように音声／映像に関わる個別の条件項目のいずれかまたは複数が変更された場合と、上記の出力モードが変更された場合の両方を含むものとする。
【０１３０】
音声／映像設定がデモモードとは異なる値に設定されている場合は、音声／映像設定をデモモードの設定に変更する（ステップＳ１０９）。
このときに、複数のデモモードを選択するための値ｘが１であれば、予め定めたデモモード１の調整値に設定し、ｘが２であれば、予め定めたデモモード２の調整値に設定する。デモモードに変更した後は、ステップＳ１０１の通常動作に戻ってデモモードを継続し、特定のカード媒体が挿入されていればタイマーをセットして、上記の処理を繰り返す。また音声／映像設定がデモモードに一致している場合には、ステップＳ１０１の通常動作に戻ってデモモードを継続する。そして特定のカード媒体が挿入されていれば、再びタイマーをセットして、上記の処理を繰り返す。
【０１３１】
なおデモモードから他のモードまたは他の音声／映像設定に変更する場合には、ステップＳ１０１の通常動作中、もしくはカード媒体挿入時にステップＳ１０４のユーザ操作によって設定変更が行われる。この場合、特定のカードが挿入されていなければステップＳ１０１の通常動作を継続し、特定のカードが挿入されていればタイマー設定に従ってデモモードに変更される。
【０１３２】
また上記のフローにおいて、特定のカード媒体がカードリーダ／ライタ１１２に挿入されてタイマーがセットされた後、所定時間が経過する前にカード媒体が抜かれた場合、さらに再度カード媒体が挿入されたときには、タイマーをセットすることなくただちにデモモードに戻す処理を行うようにしてもよい。
【０１３３】
上記の処理により、特定のカード媒体がカードリーダ／ライタ１１２挿入されていれば、ユーザ操作後に明るさセンサの値が一定値以下の状態で所定時間経過したときに、変更された音声／映像設定を、複数のデモモードのうちの特定のデモモードに戻す処理を自動的に実行することができる。またこのときに特定のコードが入力されていれば、そのコードに応じたデモモードを選択して移行させることができる。
【０１３４】
図１３は、本発明による映像表示装置における処理動作の更に他の例を説明するためのフローチャートである。
本例では、予め定められた特定のカード媒体（例えば白い店頭用Ｂ−ＣＡＳカード）が、映像表示装置１００のカードリーダ／ライタ１１２のスロットに挿入されている場合、ユーザ操作によって映像や音声の調整値や出力モードが変更されても、その後ユーザ操作が所定時間（ｔ）行われないとき、特定のメニュー値に従って調整値を元のデモモードに戻すかどうかを判定する。このときに音声／映像設定が異なる複数のデモモードを用意しておき、特定のメニュー値に応じて、使用するデモモードを選択する。
【０１３５】
本実施例の映像表示装置１００は明るさセンサの検出値を使用しないため、上記図１の構成の映像表示装置１００であってもよく、また明るさセンサによるバックライト制御機能を備えた図７の映像表示装置１００であってもよい。
【０１３６】
図１３において、映像表示装置１００のシステムマイコン１０６は、映像表示装置１００が通常動作を行っている状態で（ステップＳ１２１）、特定のカード媒体が挿入されたかどうかを判別する（ステップＳ１２２）。
映像表示装置のシステムマイコン１０６は、カードリーダ／ライタ１１２のスロットに特定のカード媒体が挿入された場合（ステップＳ１２２−ＹＥＳ）、タイマー１１３をセットする（ステップＳ１２３）。カードリーダ／ライタ１１２へのカード媒体の挿入の有無は、例えばカードリーダ／ライタ１１２が備えるスイッチの動作によって検知することができる。また定期的にカード挿入の有無を検知するようにしてもよい。また映像表示装置の電源がＯＮされた時点で特定のカード媒体がすでに挿入されている場合には、その時点でタイマー１１３をセットする。
【０１３７】
そしてその後ユーザ操作が行われたかどうかを監視する（ステップＳ１２４）。ユーザ操作は、例えば映像表示装置１００に付属するリモコン装置１１５等を用いた操作が含まれる。ユーザ操作が行われた場合には、タイマー１１３を更新する（ステップＳ１３０）。そしてステップＳ１２３でセットされたタイマーもしくは、ステップＳ１３０で更新されたタイマーのカウントによって所定時間（ｔ）が経過したかどうかを判別する（ステップＳ１２５）。所定時間（ｔ）は、予め任意に設定しておくことができ、例えば“３０分”を設定することができる。
【０１３８】
タイマーセット後、所定時間（ｔ）が経過した場合（ステップＳ１２５−ＹＥＳ）、再度、特定のカード媒体がカードリーダ／ライタ１１２のスロットに挿入されているかどうかを判別する（ステップＳ１２６）。ここで特定のカード媒体が挿入されていなければ、挿入されていたカード媒体が抜かれたことを意味するので、ステップＳ１２１の通常動作に戻る。つまり、所定時間（ｔ）が経過する前にユーザ操作が行われて、音声／映像設定が変更されていても、その変更された設定を維持して音声／映像の出力動作を継続する。
【０１３９】
ステップＳ１２６で特定のカード媒体が挿入されていれば、特定のメニューの設定値が特定の値になっているかどうかを判別する（ステップＳ１２７）。特定のメニューの一例としては、上述の図１１に示したメニュー１０を用いることができる。そして特定項目の設定値（メニュー値）１１に応じてデモモードに移行するか否かを決定させる。例えば、特定のメニュー値１１は、図１１の例では−６４〜＋６４まで設定が可能である。この設定値が特定の値になっているときにはデモモードに移行し、他の値になっているときにはデモモードへの移行を行わないようにする。ここで特定の値は、複数のデモモードにそれぞれ対応した複数の値が該当する。
【０１４０】
図１３に戻って説明する。ステップＳ１２７で特定のメニューの設定値（メニュー値）が特定の値でない場合には、ステップＳ１２１に通常動作に戻って現在の調整値を維持する。また特定のメニューの設定値が特定の値であった場合には、さらに映像表示装置１００の音声／映像設定が、デモモードとは異なる値に変更されているかどうかを判別する（ステップＳ１２８）。音声／映像設定の変更は、上記のように音声／映像に関わる個別の条件項目のいずれかまたは複数が変更された場合と、上記の出力モードが変更された場合の両方を含むものとする。
【０１４１】
音声／映像設定がデモモードとは異なる値に設定されている場合は、音声／映像設定をデモモードの設定に変更する（ステップＳ１２９）。このときに、特定のメニューの設定値（メニュー値）に応じたデモモードを複数のデモモードｎのなかから選択して、そのデモモードの調整値に変更する。例えば特定のメニューの値が１の場合はデモモード１に移行し、特定のメニューの値が２の場合はデモモード２に移行し、特定のメニューの値が３の場合にはデモモード３に移行する。これらのデモモードは音声／映像設定が異なるデモモードである。
【０１４２】
デモモードに変更した後は、ステップＳ１２１の通常動作に戻ってデモモードを継続し、特定のカード媒体が挿入されていればタイマーをセットして、上記の処理を繰り返す。また音声／映像設定がデモモードに一致している場合には、ステップＳ１２１の通常動作に戻ってデモモードを継続する。そして特定のカード媒体が挿入されていれば、再びタイマーをセットして、上記の処理を繰り返す。
【０１４３】
なおデモモードから他のモードまたは他の音声／映像設定に変更する場合には、ステップＳ１２１の通常動作中、もしくはカード媒体挿入時にステップＳ１２４のユーザ操作によって設定変更が行われる。この場合、特定のカードが挿入されていなければステップＳ１２１の通常動作を継続し、特定のカードが挿入されていればタイマー設定に従ってデモモードに変更される。
【０１４４】
上記の処理により、特定のカード媒体がカードリーダ／ライタ１１２挿入されていれば、ユーザ操作後に所定時間経過したときに、特定のメニューのメニュー値に従って、変更された音声／映像設定をデモモードの設定に戻す処理を自動的に実行することができる。このときに用意された複数のデモモードのうち特定のメニューに応じたデモモードを設定することができる。
【図面の簡単な説明】
【０１４５】
【図１】本発明の映像表示装置の構成例を示すブロック図で、デジタルチューナを備えたテレビジョン放送受信装置に本発明の映像表示装置を適用した例を示すものである。
【図２】本発明による映像表示装置における処理動作の一例を説明するためのフローチャートである。
【図３】本発明による映像表示装置における処理動作の他の例を説明するためのフローチャートである。
【図４】本発明による映像表示装置における処理動作の更に他の例を説明するためのフローチャートである。
【図５】本発明による映像表示装置における処理動作の更に他の例を説明するためのフローチャートである。
【図６】映像表示装置の電源ＯＮ時の処理動作の一例を説明するためのフローチャートである。
【図７】本発明による映像表示装置の他の構成例を示すブロック図である。
【図８】本発明による映像表示装置における処理動作の更に他の例を説明するためのフローチャートである。
【図９】本発明による映像表示装置における処理動作の更に他の例を説明するためのフローチャートである。
【図１０】本発明による映像表示装置における処理動作の更に他の例を説明するためのフローチャートである。
【図１１】特定のメニューの一例を示す図である。
【図１２】本発明による映像表示装置における処理動作の更に他の例を説明するためのフローチャートである。
【図１３】本発明による映像表示装置における処理動作の更に他の例を説明するためのフローチャートである。
【符号の説明】
【０１４６】
１０…メニュー、１１…メニュー値、１００…映像表示装置、１０１…デジタルチューナ部、１０２…復調回路、１０３…映像スイッチ、１０４…外部入力部、１０５…映像処理回路、１０５…映像信号処理回路、１０６…システムマイコン、１０７…音声スイッチ、１０８…音声処理部、１０９…ディスプレイ、１１０…不揮発メモリ、１１１…スピーカー、１１２…カードリーダ／ライタ、１１３…タイマー、１１４…リモコン受光部、１１５…リモコン装置。
【図１】
2008042868.tif 000003
【図２】
2008042868.tif 000004
【図３】
2008042868.tif 000005
【図４】
2008042868.tif 000006
【図５】
2008042868.tif 000007
【図６】
2008042868.tif 000008
【図７】
2008042868.tif 000009
【図８】
2008042868.tif 000010
【図９】
2008042868.tif 000011
【図１０】
2008042868.tif 000012
【図１１】
2008042868.tif 000013
【図１２】
2008042868.tif 000014
【図１３】
2008042868.tif 000015